(57)【特許請求の範囲】
【請求項１】
人間使用者（１）を載せる平面視略長方形の基本枠４の長辺を、第１角部材４（１）と第３角部材４（３）を直列に接続した部材、及び第２角部材４（２）と第４角部材４（４）を直列に接続した部材により構成し、また、基本枠４の短辺を第５角部材４（５）と、第７角部材４（７）により構成し、さらに基本枠４はその長手方向中央部に第６角部材４（６）が短辺に平行に懸架された構成を有し、第５角部材４（５）の中央部に電動機モータ付足首部伸縮支柱５（ａ）を付設し、その先端に足首保持具６、係止手段を備え、更に基本枠４の第６角部材４（６）の中央部下面と第７角部材４（７）の中央部下面に床裏電動機モータ付横伸縮支柱５（ｃ）の接続板５ｃ（２）３と電動機モータ付手元部伸縮支柱５（ｂ）の基本枠止板ｃ（１１）１を４本の板止ボルトｃ（１２）で止め、更に電動機モータ付手元部伸縮支柱５（ｂ）の先端部に手元保持ハンドル７を送入し、人間使用者（１）を基本枠４に仰向に載せて、足首保持具６、係止手段で足首を保持し、更に手元保持ハンドル７で係止手段で係止し、人間使用者（１）を足首保持具６と手元保持ハンドル７で係止手段で係止し浮上し、人間使用者（１）を身長方向に対し牽引手段で牽引し、ローリング手段を具備する捻り回転を行う体力トレーニングマシン。
【請求項２】
上記基本枠４の中央側面に電動機モータ付腰部伸縮支柱５（ｄ）を設け、前記電動機モータ付腰部伸縮支柱５（ｄ）の先端部にＬ型パイプ（ｂ）を設け、前記Ｌ型パイプｄ（ｂ）に、モータ２（４）、楕円回転左右具２（５）、腰部吊揉コロ付ベルト２（６）のローリング機を付設し、腰部吊揉コロ付ベルト２（６）を人間使用者（１）の腰部に半巻にして吊るしローリング作用を行うことを特徴とする請求項１記載の体力トレーニングマシン。
【発明の詳細な説明】
【技術分野】
【０００１】本発明は、特に有酸素運動により脂肪を燃焼させると共に内蔵機能の強化や成人病予防にも役立ち、しかも脊髄矯正に役立つ体力トレーニングマシンの装置に関するものである。
【背景技術】
【０００２】
【特許文献】関連すると考えられる（先行技術）  特許文献（１）特開平０６−４７０６８  特許文献（２）特開２０００−２３７２２２  特許文献（３）特開２００２−３３６３１４  特許文献（４）特開２００３−１４４４７１  （５）実開平０７−２７５２１  特許文献（６）特開昭６３−１３００６３  先行技術文献（７）特開２００１−３３３９９６号公報  先行技術文献（８）特開昭６１−２２２４６４号公報  先行技術文献（９）実願昭５６−０９０４２６号  先行技術文献（１０）実願昭５７−２０３９４７号のマイクロフィルム  先行技術文献（１１）特開平０８−０００６８６号公報
【発明の開示】
【発明が解決しようとする課題】
【０００３】以上に述べた従来の特許文献（１）特開平０６−４７０６８から先行技術文献（１１）特開平０８−０００６８６号公報これらに至っては身体を水平宙吊とした状態で、足先から手先に至る肩と腕を回転したり、全身を捻ったりする運動を行うことはできない。【０００４】本発明は、上記のような従来の構成が有していた問題を解決しようとするものであり、身体を宙吊・引伸ばし・自発能動による回転・全身の捻りを効果的に実現することを目的とするものである。
【課題を解決しようとする手段】
【０００５】本発明は上記の目的を達成するための基本枠４を構成する。  人間使用者（１）を載せる平面視略長方形の基本枠４の長辺を、第１角部材４（１）と第３角部材４（３）を直列に接続した部材、及び第２角部材４（２）と第４角部材４（４）を直列に接続した部材により構成し、また、基本枠４の短辺を第５角部材４（５）と、第７角部材４（７）により構成し、さらに基本枠４はその長手方向中央部に第６角部材４（６）が短辺に平行に懸架された構成を有し、第５角部材４（５）の中央部に電動機モータ付足首部伸縮支柱５（ａ）を付設し、その先端に足首保持具６、係止手段を備え、更に基本枠４の第６角部材４（６）の中央部下面と第７角部材４（７）の中央部下面に床裏電動機モータ付横伸縮支柱５（ｃ）の接続板５ｃ（２）３と電動機モータ付手元部伸縮支柱５（ｂ）の基本枠止板ｃ（１１）１を４本の板止ボルトｃ（１２）で止め、更に電動機モータ付手元部伸縮支柱５（ｂ）の先端部に手元保持ハンドル７を送入し、人間使用者（１）を基本枠４に仰向に載せて、足首保持具６、係止手段で足首を保持し、更に手元保持ハンドル７で係止手段で係止し、人間使用者（１）を足首保持具６と手元保持ハンドル７で係止手段で係止し浮上し、人間使用者（１）を身長方向に対し牽引手段で牽引し、ローリング手段を具備する捻り回転を行う体力トレーニングマシン。
上記基本枠４の中央側面に電動機モータ付腰部伸縮支柱５（ｄ）を設け、前記電動機モータ付腰部伸縮支柱５（ｄ）の先端部にＬ型パイプ（ｂ）を設け、前記Ｌ型パイプｄ（ｂ）に、モータ２（４）、楕円回転左右具２（５）、腰部吊揉コロ付ベルト２（６）のローリング機を付設し、腰部吊揉コロ付ベルト２（６）を人間使用者（１）の腰部に半巻にして吊るしローリング作用を行うことを特徴とする体力トレーニングマシン。
【０００６】上記基本枠４を構成する第７角部材４７の中央位置に電動機モータ付足側伸縮支柱５（ａ）の基底部を付設し、先端に足首保持回転６を連設し、使用者の足首を保持し、その状態で電動機モータ付手側伸縮支柱５（ｂ）の先端に手先保持回転ハンドル（７）で使用者の手先を保持し、その状態で電動機モータ付足側伸縮支柱５（ａ）、手側５（ｂ）の高さ、さらに、基本枠第６角部材４６、第７角部材４７の裏面に第６角部材４６の中央部より、第５角部材４５の中央部に電動機モータ付横伸縮支柱ｃ、ｄを設置で伸長される方向に使用者が操作し、足首保持回転部６と手先保持ハンドル７との間に身体を水平、宙吊、拡張し、自発能動により捻り回転させる。足側伸縮支柱５（ａ）、手側５（ｂ）、身体伸縮５（ｃ）、腹部５（ｄ）は台形長ネジを電動モータ、小プーリ、ベルト、大プーリに介し、ネジシャフトを回転させて拡張力として作用させるのがよい。
【０００７】足・腰・背・腹・身体全部の軟骨に潤いを与える。中央部を揉みほぐす体力トレーニングマシン。基本枠４を構成する基本枠４の第２角部材４２、第４角部材４４、第６角部材４６が交わる位置に電動機モータ付腹部伸縮支柱５（ｄ）の基底部を設け、ほぼ真っ直ぐ垂直に電動機モータ付腹部伸縮支柱５（ｄ）の先端にＬ型支柱を接続し、楕円振動モータ及び楕円振動モータ２（４）、ベルト２（６）を付設し、使用者が基本枠４に横たえた状態で腹部、腰部を半巻きに吊るして使用者が作動作用することによりローリング、当る部分は２（４）、２（５），２（６）楕円振動モータ２（４）、２（５），２（６）の作動により揉む作用をなす。これにより、リハビリ効果が発揮されて体力トレーニングマシンとしての作用をなす。楕円振動具の高さ調整は電動機モータ付腹部伸縮支柱５（ｄ）を操作する事により行なうことができる。
【０００８】身体を水平・係止宙吊・牽引引伸、自発能動による回転、基本枠４頭部手元回転ハンドル（７）の側面に身体吊下用各モータ用スイッチボックス９及びレバーを設けた。基本枠４に身体を横にハンドルを握った状態でスイッチレバーを上、下、前後に作動する事で身長、高さ調整が可能である。人間使用者（１）の身体を水平・係止宙吊・牽引引伸ばす。
回転・上記のように台形長ネジの力が各支柱（ｂ）に加わると人間使用者（１）に張力が加わる。この張力は各支柱（ｂ）に加わり台形ネジの圧力により決まる。従って台形長ネジの力、支柱（ｂ）のセット圧の調整により最適の張力が設定できる、体力トレーニングマシンを提供する。
【発明の効果】
【０００９】上記のごとく本発明の体力トレーニングマシンは、身体水平・係止宙吊・牽引引伸し自発能動捻り回転する様に構成されているので脚部・腰部・背部のみならず肩部・首部においても牽引・ツイスト・屈伸自発捻り回転する事で身体が万遍無く柔らかく揉みほぐす体力トレーニングマシンを提供する。
上記特に、頚椎とそれに付帯する下頭斜筋、大後頭直筋、上頭斜筋など頭部の筋肉まで弛ませることが出来、頭部の血行を良くして頭脳の働きを促進でき、全身の伸長ができ、頭皮の血行を促進でき、姿勢の矯正にも役立つ体力トレーニングマシンを提供することにある。基本枠４を用い、人間使用者（１）が頭部引張具８（３）を頭部に付け基本枠４の第６角部材４６と第７角部材４７、角パイプの中央位置に電動機モータ付横伸縮支柱５（ｃ）を設置、床裏電動機モータ付横伸縮支柱５（ｃ）、支柱の先端、取付５ｃ（２）３に基本枠止板５（ｂ）１１を接続、電動機モータ付伸縮支柱、使用者が横たわったまま作動調整する。肩・首・筋肉・磨り減った軟骨に潤いを与える。又、伸縮支柱５（ｃ）の作動で引張具合の伸縮微調整を行なう体力トレーニングマシンを提供する。
【００１０】上記さらにこの体力トレーニングマシンは身体を水平・係止宙吊・牽引引伸し自発能動により捻り回転する事により脊椎関節の正常化が行なえるので現代人に多い首痛・腰痛・膝痛・背痛に対して長年の重圧に足先から頭部・首部・手先に至る関節軟骨の磨耗の復元に、又は頭部引張具を使用することにより頚部肩凝りに効果を発揮するものである。
【適用例】
【００１１】実施
【適用例１】
長年正座した時に３０度左へ傾いていた鹿児島市在住の５６歳のＭ・Ｔ氏が体力トレーニングマシン２回の使用で正常体となった。
【適用例２】
６０代の男性、鹿児島市鴨池の今村病院で、年に１回の人間ドッグの身長測定において、平成１７年度と平成１８年度を比較して伸びていると有る。
【発明を実施するための最良の形態】
【００１２】以上、本発明の実施の形態を図１〜図６に基づいて説明する。【００１３】図１は見取図と付号。図２は体力トレーニングマシン断面図と付号。図３は伸縮支柱。図４は５ｃ伸縮支柱断面図。図５は手元保持図。図６は足首保持図。
基本枠４は第１角部材４１、第２角部材４２、第３角部材４３、第４角部材４４、第５角部材４５、第６角部材４６、第７角部材４７と７本の角部材とＬ継手４箇、Ｔ型中折れ継手角鋼２箇中央に、キャスター付前足２本、キャスター４箇付足Ｔ型２本を用い、床面に横９００ｍｍ縦１，８００ｍｍの板を用い、二つ折にして移動が簡潔にできる様に設計した。
【図５】
７手元係止手段  基本枠４を介し、手元部電動機モータ付伸縮支柱５（ｂ）は電動機モータ付伸縮支柱５（ｃ）の先端と電動機モータ付伸縮支柱５（ｂ）と接続、一体化をなす。使用者１が両足首を係止手段６により停止し、さらに両手元係止手段７により係止し、宙吊浮上は伸縮支柱各５（ａ）、５（ｂ）が行う。身長方向へは電動機モータ付伸縮支柱５（ｃ）を介して手元係止ハンドル７に係止したまま指１本でスイッチ９または９（１）を作動により、その目的を達成できる。
上記７手元係止具は、電動機モータ付伸縮支柱５（ｂ）ｂの先端部に７（ｂ）の部角型パイプ７（ｂ）を送入するパイプ７（ｂ）と７手元ハンドル７の本体を接続のための７（４）金具に穴を明け、ボルトを通し自在１８０°傾くようになした。
７手元ハンドルは通常肩幅左右に取っ手を、取っ手は上下二手に分け、分けた二又に手元係止丸棒を丸棒の中心部に穴を明け、丸棒をボルト貫通しナットで留める。
【図６】
足首係止手段  基本枠４を介し、足首部電動機モータ付伸縮支柱５（ａ）の先端の伸縮支柱ｂの上部に両足首係止手段部６を用い送入し、両足首係止は円型テーブル中央に４本のＦ型支柱を付設し、Ｆ角型支柱上部、Ｆ角型の交わる部にシャフト用の穴を明け、シャフトを通す、Ｆ角型の角の部内側の折込み金具に上記のシャフトを通し、折込み金具の先端に両足首係止具凹器フックを上部より差し込む。下部両足首受側凸器フックに差し込む凸器側は固定とした。さらに、両足首係止具の調整は上記角型Ｆに通し、シャフトの中央部に凸器を固定、凸器の先端にワイヤー６（９）１と接続基本枠４の中央部、電動機モータ付伸縮支柱５（ｄ）１の側面にレバー６（９）２により調整を行う。
【腹部】
上記基本枠４を介し、電動機モータ付腹部伸縮支柱５（ｄ）を用い先端にＬ型支柱を介し、２（４）、２（５）、２（６）でコロ付ベルトを使用者が腹部を半巻になる様ベルトを着け、使用者がこれを電動作動することにより左右移動、振動し揉むことによりその目的を達成できる。基本枠４に横たわり３６０度回転しながら使用できる機構とした。
【００１４】上記、基本枠４を用い床裏電動機モータ付横伸縮支柱５（ｃ）を介し、先端付設部に電動機モータ付手元部伸縮支柱５（ｂ）を付設、電動機モータ付手元部伸縮支柱５（ｂ）の凸部の頭部引張具８（３）の部に螺旋スプリング付折込具を凸器へ送入連設、頭部引張具（ヘッドギア）８（３）を人間使用者（１）が着用。床裏電動機モータ付横伸縮支柱５（ｃ）の電動機モータが作動することにより引張具合の微調整を行う機構とした体力トレーニングマシンを提供する。
【００１５】上記有酸素運動を行い得る、磨り減った軟骨に潤いを与え体の活性化を図る。足首から手先に至る体力トレーニングマシンであって、本発明は、上記の目的を達成する為の基本枠４を構成する。基本枠４の第５角部材４５の中央部に支柱鋼５（ａ）１１の基底接続部分を付設、電動機モータ付足側伸縮支柱５（ａ）の先端に足首保持回転６（６）を送入連設し、電動機モータ付足側伸縮支柱５（ａ）に対設し電動機モータ付手側伸縮支柱５（ｂ）を基本枠４の第６角部材４６、第７角部材４７の基底部の中央に、電動機モータ付横支柱鋼５ｃ（１１）１を付設、又、第７角部材４７の先端中央にｃ（１２）１の部分を付設、その電動機モータ付手側伸縮支柱５（ｂ）の先端５ｃ（２）３コ型止板と、電動機モータ付手側伸縮支柱５（ｂ）の基底接続部５（ｂ）１１を垂直に接続、電動機モータ付手側伸縮支柱５（ｂ）へ手元保持ハンドル（７）の７（６）を送入、一体化をなす。
【００１６】上記、人間使用者（１）の手元保持回転ハンドル（７）で手元を保持し、又、電動機モータ付手側伸縮支柱５（ｂ）は、人間使用者（１）の上げ、下げの伸縮と水平伸縮の両面を兼ね備えている。又、電動機モータ付腹部伸縮支柱５（ｄ）は、基本枠４の第２角部材４２、第４角部材４４、第６角部材４６の交わる側面に、基底接続部５（ｄ）１１で付設し、電動機モータ付腹部伸縮支柱Ｌ型を連接し先端に、２（４）、２（５）を接続２（６）コロ付ベルトを用いた人間使用者（１）は上記の電動機モータ付伸縮支柱各５（ａ）、５（ｂ）、５（ｃ）、５（ｄ）は、高さ、身長を調整する電動機モータ付伸縮支柱調整機構をなし、上記足首保持回転６で人間使用者（１）の足首が保持された状態で、上記人間使用者（１）の手元保持ハンドルで手元を保持されかつ更に、上記伸縮回転操作部が操作されることにより、上記足首保持回転６と手元保持回転７の支柱を押し上げるが上記使用準備段階で、人間使用者（１）の手元、足首に負担がかかる為、人間使用者（１）の腰部中央に５（ｄ）電動機モータ付伸縮支柱を設け先端にＬ型支柱を用い２（４）、２（５）を付設し、コロ付ベルト２（６）により腰部中央を吊るす。人間使用者（１）が回転捻り開始直前に腰部中央のコロ付ベルト２（６）を手元保持回転ハンドル側面に５（ｄ）伸縮支柱の電動モータのスイッチレバーを作動し腰部中央、コロ付ベルトを下げる事で腰部より外れ、回転捻りを行なう。
【００１７】上記基本枠４は第１角部材４１、第２角部材４２、第３角部材４３、第４角部材４４、第５角部材４５、第６角部材４６、第７角部材４７の７本の部材とＬ型継手４箇、中折Ｌ継手２箇、キャスター付前足２本、Ｔ型キャスター４箇付後足２本を用い、床面積、横９００ｍｍ×縦１，８００ｍｍを用い、中央より二つ折りにし、移動も簡潔に出来る様設計した。又、電動機モータ付伸縮支柱５（ａ）、５（ｂ）、５（ｃ）、５（ｄ）は各支柱鋼の基底部に水平に座付ベアリング各（６）を付設し、台形シャフト長ネジをベアリングに送入し、基底部に大プーリを付設する。
次に、各支柱鋼の側面にモータを付設し、モータシャフトに小プーリを付設し、小プーリと大プーリをベルトで連結する。上記各電動機モータ付伸縮支柱は、外側固定支柱ａ、内側伸縮支柱ｂから構成され支柱ａの上部の内側に支柱ｂの内側の接触面の左右に支柱ｂを挟む形で設定し、センターにシャフト長ネジを通し支柱ｂを支え磨耗、滑り、小音の為に設けた。又、支柱ｂの裏下部の支柱ａ接触面と支柱ｂ下部にベアリング付設用の穴を開け、シャフトを貫通し支え、磨耗、滑り、小音対策の為にベアリングを支柱ｂの左右に付設し、支柱ｂのセンター下部に、長ナットを付設し、台形シャフト長ネジを、長ナットに回し入れる。電動機モータ付各伸縮支柱の（ｂ）の上限下限のモータリレーは電動機モータ付各伸縮支柱５ａの後部上部下部に設けている。
【図面の簡単な説明】
【００１８】
【図１】体力トレーニングマシンの見取図
【図２】体力トレーニングマシンの断面図
【図３】各電動機モータ付伸縮支柱ａ、ｂ、ｃ、ｄの断面図
【図４】基本枠（床裏電動機モータ付横伸縮支柱ｃ）の断面図
【図５】手元保持ハンドル（７）の断面図
【図６】足首保持具（６）の断面図
【符号の説明】
【００１９】［１］  （１）人間使用者（２）腰部揉み部（３）基本枠足キャスター付（４）基本枠
［２］  人体腰揉み具  ２（１）大プーリ  ２（２）小プーリ  ２（３）ベルト
２（４）山型長ネジ  ２（５）楕円回転左右具  ２（６）腰部吊揉コロ付ベルト
［３］  ３（１）基本枠足キャスター１箇所付  ３（２）基本枠足キャスター１箇所付
３（３）基本枠足キャスター２箇所付Ｔ型
３（４）基本枠足キャスター２箇所付Ｔ型
［４］  基本枠４第１角部材４１  第２角部材４２  第３角部材４３  第４角部材４４
第５角部材４５  第６角部材４６  第７角部材４７
の７本角型鋼、Ｌ型角鋼４箇、Ｔ型角鋼中折型継手２箇から構成
［５］  電動機モータ付足首部伸縮支柱５ａ    電動機モータ付手元部伸縮支柱５ｂ
床裏電動機モータ付横伸縮支柱５ｃ    電動機モータ付腰部伸縮支柱５ｄ
（１）大プーリ  （２）小プーリ  （３）ベルト  （４）山型長ネジ
（５）モータ  （６）座付ベヤリング  （７）山型長ナット  （８）丸座金
（９）制御リレー  （１０）ベヤリング×４  （１１）基本枠止板
（１２）板止ボルト×４  （１３）モータ取付板  （１４）モータ取付ネジ
（１５）安全カバー
床裏電動機モータ付横伸縮支柱５ｃに次を用いた。
ｃ（１）１基本枠止板  ｃ（１１）１基本枠止板  ｃ（１１）２基本枠止ネジ
ｃ（１２）１基本枠止板  ｃ（２）３接続板  ｃ（２）４接続ネジ
上記、各伸縮支柱部材で用いた部材である。
［６］  足首保持具符号
６、円型台座と足首保持
６（１）１足首止具  ６（１）２足首止具  ６（１）３足首止具
６（１）４足首止具  ６（１）ｂ足首保持台座金具
６（２）１折込み具  ６（２）２折込み具  ６（２）３折込み具
６（２）４折込み具
６（３）１下部ネジ保持  ６（３）２下部ネジ保持  ６（３）３下部ネジ保持
６（３）４下部ネジ保持
６（４）１台座と足首止具  ６（１）１とＬ金具の止ネジ
６（４）２台座と足首止具  ６（１）２とＬ金具の止ネジ
６（５）１足首上部止め具  ６（５）２足首上部止め具
６（６）１足首止ネジ  ６（６）２足首止ネジ
６（７）１足首保持具（上部）  ６（７）２足首保持具（上部）
６（８）１足首保持具（下部）  ６（８）２足首保持具（下部）
６（９）１足首保持の挟み調整ワイヤー
６（９）２足首保持の挟み調整サイドレバー
0005163976.tif 000002
６（１１）１足首保持具先端フック  ６（１１）２足首保持具先端フック
６（１２）台座６（３）６の止ネジ×４
６（３）６（４）継手金具と円型座と間のクッション材
６（１３）サイドレバー返しバネ
６（１４）足首保持具（上部）６（７）１、６（７）２を同時に折込み具６（２                  ）１、２、３、４を介して折込みによ作動凸器ワイヤーへ
６（１５）角Ｌ台座止め足首止具６（１）１、６（１）２、６（１）３、６（１                  ）４を貫通シャフト
６（１６）足首保持６の接続６（１７）、６（１８）、６（１６）、金具６（１                  ６）は５ａ（ｂ）伸縮支柱へ
６（１７）足首保持具６と接続部との連結金具
６（１８）６（１６）継手と足首保持具６と連結金具６（１７）を継ぐボルト
0005163976.tif 000003
６（２０）６台座四穴付ベヤリング
［７］  手元保持ハンドル符号
７（１）手元保持ハンドル  ７（２）６角止  ７（３）ナット
７（４）箱型金具
0005163976.tif 000004
７（７）四穴座型ベヤリング  ７（８）ボルト
７（９）７と７（４）間のクッションゴム
７（１０）ハンドルと四穴座型ベヤリング付設ネジ×４  ７（１１）丸座２
［８］  ８（３）頭部引張具（ヘッドギア）、ラセンバネ付折込具、５ｂ支柱の凸部封金
［９］  ９（各）伸縮支柱Ｂのオーバ止リレー  ９（１）手元保持側面スイッチレバー
９（２）電源、ボックス、ヒューズ  ９（３）電源接続コネクター
９（ｂ）スイッチボックス
［１０］ａ（ａ）支柱部  ａ（ｂ）ピストン部  ｄ（ｂ）Ｌ型パイプ
【図１】
0005163976.tif 000005
【図２】
0005163976.tif 000006
【図３】
0005163976.tif 000007
【図４】
0005163976.tif 000008
【図５】
0005163976.tif 000009
【図６】
0005163976.tif 000010